(57)【要約】  本亀頭露出器は、翻転された包皮を陰茎の根部に保持することによって性交時剥き出しの亀頭を実現し、両手を他の事柄のために自由に使用可能とさせる。包皮の比較的感受性の高い内部層は、外側に向けられ勃起陰茎全体の上に引き延ばされ、完全に剥き出しとなった亀頭は、糸状帯によってその皮膚が強く引っ張られるために前方に突出する。望むなら、本亀頭露出器は、半端部品を用いて消費者自身によって簡単に組み立てられる。このような半端部品の組み合わせから自作キットを製造することが可能である。半端部品としては、例えば、２個のヒンジ部品と、それらを結合するための留め金から製造される、球形の、ビーズ様形状Ｋ（−）がある。長さが約１５メートルの平坦な、木綿の（運動）靴紐材料で、ボール紙片に巻かれたものである。２本の弾性リボン片で、細いがきわめて強靭な糸で互いに接続され、ボタン穴の長さの切れ目の間に細いがきわめて強靭な分離帯を造るリボン片がある。一端から他端に至る切れ目を持つ、小さな、管状形状であって、靴紐材料の両端の周囲に、それらが解けて広がるのを防止するために、糊付けされる管状形状である。【特許請求の範囲】
【請求項１】
弾性リボン片によって形成される部品Ａであって、その両端は、解けないように互いに、且つ、部品Ｂの中央に接続される部品Ａによって作られる亀頭露出器。部品Ａの輪郭は、陰茎根部の輪郭の約２／３から３／４である。弾性リボンの幅は約１から１＋１／２ｃｍである。部品Ｂは、一般に運動靴に使用される、木綿の、平坦な、編んだ靴紐によって製造される。部品Ｂの両端は、同じ球形で、ビーズ様形状Ｋ（−）を通って導かれ、Ｋ（−）は、この靴紐をしっかりと挟みつけるので、正常に使用される間は滑って外れることはないが、サイズを調節するために指定の動作によって移動させることが可能である。部品Ｂの片半分の長さは、勃起陰茎の根部の頂上から肛門まで、肛門から腹部まで外側で測った距離プラス２５ｃｍである。靴紐材料Ｂの全長は、前記距離の２倍の測定値を持つ。部品Ｋ（−）は、Ｂを、肛門近くの場所で挟みつける。
【請求項２】
複数のボタン穴を持つ弾性リボンから作られる亀頭露出器。ボタン穴は互いに一列に配される。締め具として、球形の、ビーズ様形状Ｋ（−）が使用される。Ｋ（−）の一方の側は弾性リボンに接続され、Ｋ（−）の他方の側は、部品Ｂの中央に接続される（請求項１と同様に）。亀頭露出器を使用する前に、Ｂの両端を、消費者の望みのサイズのために必要とされるボタン穴の中に通さなければならない。
Ｂの代わりに、その端に球形の、ビーズ様形状Ｋ（３）を持つ靴紐材料片を、Ｋ（２）の一方の側に接続し、Ｂの中央を、少し前方のところで弾性リボンに接続してもよい。
【請求項３】
Ｂ（請求項１と同様の）の長目タイプから作られる亀頭露出器。Ｂの中央を、もう１つの球形のビーズ様形状Ｋ（４）の中を通し、さらに、穴を持つ小型の円盤状に見える、ＰＫと呼ばれるＫ（４）の平坦タイプの中を通す。これで、Ｂの中央は、陰茎の周囲に設置が可能な、調整可能な紐の一部となる。Ｂの両半分を、それら両半分が完全に互いに押し付けられていない時に、Ｋ（４）とＰＫの間に見られる、Ｂの２片の間の空間の中に導く。Ｋ（４）を離れた後、Ｂの両半分は、しっかりと掴むことができるほど十分に大きく、強いヌースＬの中に導かれる。ヌースＬは、靴紐材料から造られてもよい。
【請求項４】
アクセサリー付き亀頭露出器であって、このアクセサリーは、円筒形に作られることから得られる特異な性質を持つために、小さいが、設計１の帯をできるだけ引き伸ばすのに十分なほど丈夫で、勃起陰茎の周囲に設置して勃起陰茎の根部に運ぶのに十分なほど大きくて薄い亀頭露出器。
このアクセサリーは、既に円筒形に曲げられた四角形、又は、円筒形に曲げることが可能な四角形であって、そのサイズは、四角形の一端を他端の上に滑らせることによって調節することも可能である。四角形は、丈夫であるが、屈曲性を有するプラスチックから造ることが可能である。
【請求項５】
個別に販売することが可能な部品を持つ亀頭露出器であり、この部品は、互いに、一端において、細いが、きわめて丈夫な糸によって接続される、２片の弾性リボンから作られるという特性を持つ亀頭露出器。接続部間の切れ目はボタン穴の長さである。細いが丈夫な糸は、これら弾性リボン同士を接続して、ボタン穴の間に、細いが丈夫な分離帯を形成し、その周囲にＢの中央を包み込み、長すぎる場合、分離帯を引っ張って付き合わせることによって不都合な瘤を形成することなく設計２を作製することができる。細いが、十分に丈夫な糸であって、分離／接続が、弾性リボンを作製するのに通常用いられる材料において実行された場合に起こると予想される激しい磨耗を回避することが可能である。分離／接続を形成するために、細いが、余分の強度を持つ糸は、一端近くでリボン同士の中を導かれて結び合わされる。結び目による瘤を避けるために、この細いが、きわめて丈夫な糸は、弾性リボンの材質の中に運針されてもよい。ボタン穴付きの通例の弾性リボンの場合、適当な弾性リボンを作製するには弱すぎる糸は、細いが、きわめて丈夫な糸と交換し、そうすることによって、ボタン穴の間の分離帯をできるだけ強靭で、耐久性があって、小さくなるようにしてもよい。
２片の弾性リボンの代わりに、３片以上を用い、それらの間に２列以上のボタン穴を形成するようにしてもよい。いくつかの列においてボタン穴の始まりと終わりが同じレベルに無い場合、Ａのサイズは、ボタン穴の長さよりも小さいステップで調節することが可能となる。これらのリボン片は、１片の端から他片の端へ、且つ、片同士の間を、ボタン穴の半分長のステップで往復する弾性紐を用いて接続することが可能である。
リボンには、長さがセンチメートルで表示される。
【請求項６】
消費者自身によって取り合わされる、個別部品から成る亀頭露出器であって、この部品も個別に販売されてもよいが、この部品は、ボール紙片の周囲に巻かれた約１５メートルの長さを持つ、平坦な、木綿の靴紐材料から作製されるという特性を持つ亀頭露出器。長さは、この靴紐材料の上にセンチメートルで表示されてもよい。
【請求項７】
（「靴紐材料を‘Ｖ’と呼ぶ」）
これも個別に販売してよい部品Ｋ（−）を持つ亀頭露出器であって、この部品Ｋ（−）は、球形で、ビーズ状の外見をしており、且つ、この部品Ｋ（−）は、下記の特性の内の１つ又はそれ以上を持つ亀頭露出器：
−Ｋ（−）は、Ｖを取り囲む穴の中央に至るもう１つの穴を持つ。このもう１つの穴を用いて、糊を注入し、Ｖを、Ｖが囲まれる穴へ糊付けすることが可能である。
−もう１つの穴は、先端が平坦化されたネジを含み、該ネジによって、Ｖを、Ｖが囲まれる穴に強く押し付けることが可能である。
−もう１つの穴は、Ｖが囲まれる穴をほんの部分的にしか横切らない。このもう１つの穴にはボルトが含まれる。Ｖの穴との交点において、ボルトは自由空間を含むので、Ｖが囲まれる穴は狭められない。ボルトを回すことによって、自由空間は置き換えられ、Ｖが囲まれる穴は交点において狭められ、もう１つの穴とボルトによって、Ｖは、Ｖが囲まれる穴の壁に強く圧しつけられる。
−Ｋ（−）は、尖ったネジであって、そのヘッドは、鋲の下部のヘッドと同じぐらい平坦なネジである。尖ったネジの先端は、押すことによって弾性リボンとＢを貫通することが可能である。その後、球形が、ネジの上で回されて、弾性リボンの両端とＢをまとめて圧さえつける。Ｋ（−）を用いて設計１を組み立てることも可能である。
−Ｋ（−）は平型ネジを含む２つの部品から形成される。このネジは２つの部品を一緒に圧さえてそれらがしっかりとＶを保持するようにする。１つの部品は溝を含み、他方の部品は凸部を含む。凸部は溝に合致し、これらが、Ｖが滑り落ちないようにしっかりとＶを保持する。
−この２つの部品はまた、ヒンジによって接続し、ネジ又は留め金のような留め具によって互いに圧迫し合い、Ｖが滑り落ちないようにしっかりとＶを保持することが可能である。ヒンジ、及び、ネジ又は留め金のような留め具は、平型であることがもっとも好ましい。
−Ｖに触れるＫ（−）の部分には、Ｖに対してより確かな食い付きができるように、粗面構造又は凹凸構造を設けてもよい。
−球形のビーズ様形状Ｋ（−）は平坦化されて、穴を含む、小型の円盤様形状ＰＫとなる。平坦な円盤形ＰＫと付属のＫ（−）設計３は、互いにどちらかから組み立てられてもよいし、或いは、互いに統合されて、むしろ１個の球形のビーズ様形状に似るようにしてもよい。
−球形のビーズ様形状Ｋ（−）には、装飾又は刺激するために、構造体及び形状を付着させることが可能である。
−１つの穴の代わりに、Ｖは、Ｖが中に導かれる２個の穴を含んでもよい。一方の穴のサイズを他方の穴のサイズよりも小さくし、そうすることによって、一方の穴が、他方の穴よりもＶに対してより大きな摩擦を持つようにしてもよい。
【請求項８】
これも個別に販売されてもよい部品Ｃを有する亀頭露出器であって、この部品Ｃは、小型の弓形に曲げられた小さな四角形によって形成されるという特性を持つ亀頭露出器。この小型の弓の両端は外方に曲げられ、且つ、両端は、Ｖ又は弾性リボンが中に導かれる小さなスリットを含む。ＣはＶ又は弾性リボンの圧力を受け止めることができるので、射精の際精子が外に移動するためのチューブを省略することが可能になる。
【請求項９】
消費者自身によって組み立てられる亀頭露出器であって、これも個別に販売することが可能な部品を有するが、この部品は、薄く、しっかりしているが屈曲性のあるプラスチックで形成される小さな四角形で、巻かれて、一端から他端に至る切れ込みを含む小さな管状に巻かれた四角形という特性を持つ亀頭露出器。Ｒは、解けて広がるのを防ぐために、靴紐材料の両端の周囲に簡単に設置し、糊付けすることが可能である。Ｒはまた、Ｖに対して余分な摩擦力を得るために、その内側に粗面又は凹凸構造を持つ縮んだ靴下／プラスチックから成る小型の管であってもよい。加熱されると、縮んだ靴下／プラスチックは短縮してＶをしっかりと包み込む。
【請求項１０】
消費者が自ら組み立てなければならないという特性を持つ亀頭露出器であって、全ての部品が、消費者が自分で亀頭露出器の設計を組み立てるのに必要な全ての部品を含む自作キットの中にまとめられている亀頭露出器。この自作キットは、さらに多くの様々な部品、又は、本亀頭露出器の設計の内の１種以上、又は、それらの設計の全てを組み立てるのに必要な全ての部品を含むことも可能である。部品は、例えば、１種又は数種の弾性リボン、十分ではあるが、極端な長さではない長さの、平坦な木綿の靴紐材料、１種又はそれ以上のＫ（−）、小型弓Ｃ、靴紐材料の両端が解けるのを防止するための小管Ｒである。この自作キットは、針と、ある長さの、釣り糸のような丈夫な糸、鋲、鋲の下部に接続されるチューブ様の穴に適合する小型の千枚通し又は刺抜き針、糊、丈夫な木綿糸、及び、自作亀頭露出器をしまっておくことのできるバッグ及び箱を補って完成される。
【発明の詳細な説明】
【技術分野】
【０００１】
本亀頭露出器は、勃起時、亀頭が包皮によって被われる男性のために設けられる。本亀頭露出器は、翻転された包皮を陰茎の根部に保持することによって性交時剥き出しの亀頭を実現し、両手を他の事柄のために自由に使用可能とする。包皮の比較的感受性の高い内部層は引っくり返って外側に向けられ勃起陰茎全体の上に引き延ばされ、感受性の高い亀頭は完全に剥き出しとなり、延ばされて前方に突出する。なぜなら、その皮膚は、翻転包皮によって強く引っ張られる糸状帯によって強く引っ張られるからである。本出願において記載される亀頭露出器及びその部品の設計は全て、健康を冒す危険性が無く、不味でなく、且つ、歯で触れて不快ではない材料によって製造されなければならない。本亀頭露出器は、勃起陰茎の根部に翻転包皮を保持することが可能な部品Ａ、及び、Ａを躯幹の他の部分に、Ａが包皮と共に滑走して元に戻ることがないように接続することによってＡを保持することが可能な部品Ｂから成る。私は、３種の基本的設計をした。
【０００２】
設計１では、部品Ａは、弾性リボン片（これは、オランダでは「スポーツの輪ゴム（Ｓｐｏｒｔｅｌａｓｔｉｅｋ）」と呼ばれる）であり、その両端は、解けないように互いに、且つ、部品Ｂの中央に接続される。Ａによって形成される円の輪郭は、多くの男性において機能的であるためには、勃起陰茎の根部によって形成される輪郭の２／３から３／４の間になければならない。弾性リボンの幅は１から（１＋１／２）ｃｍでなければならない。Ａの輪郭が大きすぎると、包皮はすり抜け、Ａの輪郭が小さすぎると、血液循環が妨げられてうっ血する。部品Ｂは、運動靴に一般に使用される平たい木綿の靴紐と同じ靴紐材料から製造される。部品Ａと部品Ｂとは、縫い合わされてもよいし、結び合わされてもよいし、或いは、鋲によって鋲止めされてもよい。また糊を用いることも可能と考えられる。部品Ｂの両半分は、同じ球形の、ビーズ様形状Ｋ（１）の中に導かれる。Ｋ（１）は、靴紐材料Ｖを十分にきつく締めるので、Ｋ（１）は、亀頭露出器の通常の使用時に動くことはないが、サイズを調整したい場合には、力を使って、又は、特定の行動を実行することによって動かすことが可能である。部品Ａは、包皮を、勃起陰茎の根部にしっかりと保持し、Ｂの両半分は、勃起陰茎根部の上側から、陰嚢根部の両側にそって肛門の方向に向かう。肛門の周囲においてＫ（１）はＢの両半分を合わせて保持し、そうすることによって、Ｂの両半分が分岐し、ヒップの両側にそって進み、躯幹の前面に達し、靴紐のように結び合わせられるようにする。必要なら、Ｂの両半分は、留め具を用いて互いに接続することも可能であり、両半分の長さもテントの支持ロープのように調整することも可能である。
【０００３】
設計２（図２）では、Ａは、ボタン穴を持つ弾性リボン片である。このボタン穴は互いに直線状に並び、留め具は、球形の、ビーズ様形状Ｋ（２）である。Ｋ（２）は、一方の側では、弾性リボンの一端と接続し、他方の側では部品Ｂの中央と接続する。部品Ｂの両半分は、所望のサイズの部品Ａを作るのに必要なボタン穴の中に導びかれねばならない。部品Ｂと弾性リボンの他端を同時に引っ張ることによって、設計２は、それが設置された時点で簡単に閉鎖することが可能であり、且つ、その後、同様に簡単に開放することも可能である。設計２の変異形（図１）では、部品Ｂを弾性リボンの一端においてＫ（２）に接続するのでなく、弾性リボンのより中央側において接続する。この場合も、留め具はＫ（２）によって形成されるが、部品Ｂの代わりに、その他端にもう１つのビーズ様形状Ｋ（３）を有する１本の靴紐材料がＫ（２）に接続される。Ｋ（３）が必要なボタン穴を貫いて押し込まれると、この設計２の変異形は、設置された時点で、Ｋ（３）と弾性リボンの他端を同時に引っ張ることによって簡単に閉鎖される。
【０００４】
設計３では、部品Ａは、部品Ｂを用いて製造される。すなわち、部品Ａは、２つ折りにした部品Ｂの中央を、さらに別のビーズ様形状Ｋ（４）の中を通し、Ｋ（４）の平坦型のような外見のＰＫを形成することによって製造される。このようにして、部品Ｂの中央は、部品Ａとしても使用が可能なヌースを形成する。ＰＫは穴を持つ小さな円盤のようであってもよい。Ｋ（４）とＰＫは、靴紐材料Ｖを堅く緊縛し、それらを動かすには力が必要となるほどでなければならない。Ｂの両端は、それらが一緒に完全に引っ張られていない時に、Ｋ（４）とＰＫの間にある、Ｂの２つの部分の中央を貫通するよう導かれていなければならない。Ｋ（４）を保持し、同時にＢを引っ張ることによって、Ｋ（４）とＰＫはまとめて引っ張られて、もう１つのＢの緊縛法を実現する。Ｂが受ける抵抗の総量は、Ａのサイズを安定なものとするほど十分に大きなものでなければならない。Ｋ（４）を離れた後、Ｂの両半分は、Ｋ（４）とＰＫの間にあるＢの２つの部分の中央の中に導かれる前に、もう１つの独立ヌースＬの中に導かれなければならない。この独立ヌースＬは、堅く保持されるほど十分に大きく、丈夫なものでなければならない。Ｌは、１本の靴紐材料から製造することが可能である。Ｌを引っ張ることによって、部品Ｂは、Ｋ（４）とＰＫの中間から引き戻されるので、Ｋ（４）とＰＫを引っ張って、勃起陰茎を囲むＡのサイズを拡大するのに十分な余地が生ずる。部品Ｂも勃起陰茎を囲むことが可能となる必要がある場合には、部品Ｂを拡大することによってその長さを調整することが可能である。部品Ａのサイズは、陰茎が勃起する前に、前から、陰茎の周囲に設置することによってもっとも良く決定することができる。
【０００５】
設計１も、陰茎が勃起する前に、陰茎の周囲に設置するのがもっとも良い。設計１を勃起陰茎の周囲に設置するには、設計１を指の周囲に引き延ばし、亀頭を通り越す。勃起陰茎の皮膚を押さえながら、部品Ａの近くで部品Ｂを保持し、部品Ａを一方の側から他側へ繰り返し動かすことによって、部品Ａを勃起陰茎にそって少しずつ動かすことが可能である。
【０００６】
さらに円筒形であって、丈夫であるが、屈曲性のあるプラスチック製で、設計１の部品Ａをできるだけ引き延ばすことができるほど十分に小さく、且つ、余りに小さくなることなく勃起陰茎の根部に持っていくことができるほど十分に薄い円筒形も使用が可能である。この円筒形は、渦巻き型に丸めた四角形であって、その末端が重ねられており、そのために消費者がサイズを自分で調節できるようになっているものであってもよい。
【０００７】
本亀頭露出器は、半端部分を用い、望むなら消費者自身によって簡単に製造することが可能である。亀頭露出器の一部は、設計２ではボタン穴付き弾性リボンである。ボタン穴の間隔ができるだけ小さく保たれている場合には、部品Ａのサイズを調節するのに必要な最小距離もできるだけ小さくすることが可能である。ボタン穴間の最小距離は、Ｋ（２）のサイズに依存する。単に部品Ｂを引っ張るだけで、Ｋ（２）を、必要なボタン穴の中を簡単に通過させることができなければならない。このボタン穴付き弾性リボンは、２本の弾性リボン片を、ボタン穴長の切れ目を持つように、細いが、極めて丈夫な糸で縫い合わせることによって形成することも可能である。分離帯を、細いが丈夫に維持するのに十分な細いが丈夫な糸であって、そのために、部品Ｂの中央をその周囲に重ね合わせて設計２を組み立てても、Ｋ（２）をできるだけきつく弾性リボンに設置した場合でも、不快な瘤を形成することがない。細いが、ボタン穴付き弾性リボンを確保するのに十分なほど丈夫な糸ではあっても、もしもそれが、通常の、ボタン穴付き弾性リボンが製造されるのと同じ材料で製造されている場合に遭遇するような激しい磨耗に耐える必要はない。分離帯を形成するには、その細いが、極めて丈夫な糸を、辺縁近くで、両弾性リボンを貫いて導き、次に互いに結び合わせればよい。結び目による瘤を避けるために、その細いが、極めて丈夫な糸は、弾性リボンの材料の中に運針されてもよい。通例の、ボタン穴付き弾性リボンの場合、糸は、適当なボタン穴付き弾性リボンを製造するには弱すぎて、耐久性があり丈夫ではあっても、ごく小さい分離帯しか形成されない。このような糸は、しっかりした、耐久性のある、十分に細い適当な分離帯を形成するのに十分なほど丈夫な糸と交換した方がよい。１から１+１/２ｃｍの弾性リボンの全体幅は十分と考えられる。さらに、２片を超える弾性リボンを用い、前述のように互いに接続し、それらの間に幾列かのボタン穴を形成するようにしてもよい。もしもこれらの列において、ボタン穴の開始点が互いに一定レベルに揃っていない場合には、部品Ａのサイズを、ボタン長未満の長さに調節することが可能である。数片の弾性リボンを、１本の弾性コードを用いて接続することも可能である。この場合、コードは、一方のリボンの辺縁から他方のリボンの辺縁へ進み、これらの辺縁の間を、ボタン穴長の半分の縫い幅で往復する。弾性リボンと弾性コードは、細いがきわめて丈夫な糸を用いて互いに接続し、そうすることによって、部品Ｂを糸に接続することが可能である。リボンの上に、長さがセンチメートルで表示され、リボンは、例えば、長さ３メートル毎にボール紙片の上に巻きつけて販売してもよい。飾りとして、又は快楽又は刺激のために、この弾性リボンに構造体を付着させてもよい。
【０００８】
本亀頭露出器の一部は、運動靴のために用意される、平坦な、木綿の編み紐用として一般に作られる靴紐材料Ｖである。例えば、長さ１５メートル毎に、ボール紙片に巻きつけて販売し、そのため、消費者自身がいくつかの部品Ｂを自分で作製することができるようにしてもよい。Vの上には、長さをセンチメートルで表示してもよい。本亀頭露出器の一部は、穴の開いた球形のビーズ様形状Ｋ（−）である。Ｋ（−）は全体が一部品である場合には、Ｖは穴の内部に糊付けしてもよい。Ｖを含む穴の真ん中に導くもう１つの穴を通じて糊を注入してもよい。糊を用いる代わりに、このもう１つの穴は、ネジ溝と、Ｖをその穴の側面にしっかりと押し付けるネジとを含んでもよい。このもう１つの穴は、Ｖの穴を部分的にしか横断しないピン／ボルトを含むＫ（−）を真っ直ぐに貫通する。ピン／ボルトは、Ｖの穴との交点に自由空間を含む。ピン／ボルトを回すことによって、自由空間はピン／ボルト片によって置換され、このためＶはしっかりと圧し付けられる。なぜなら、Ｖにはもはや十分な余地は残されていないからである。この余分な穴にネジ溝がない場合でも、穴はピン／ボルトをしっかりと取り囲み、ピン／ボルトが回ることはあっても落ちることはない。
【０００９】
Ｋ（−）もまた２つの部品から製造されてもよい。１つの部品は溝を含み、他方の部品は凸部を含む。凸部は溝に合致し、これらの部品は合わさって、その間に、結ばれたＶを保持することが可能である。Ｋ（−）のこの２つの部品は、２本の平型ネジによってしっかりと保持することが可能である。この２つの部品はまた、ヒンジによって接続し、ネジ又は留め金のような留め具によって互いに圧し付け合うようにすることも可能である。留め具、ヒンジ、及び留め金は、消費者が自らを傷つけることがないよう平型にしてもよい。溝の底部及び凸部の頂上には、Ｖに対してより確かな食い付きができるように、粗面構造又は凹凸構造を設けてもよい。
【００１０】
設計３の１つの部品は、小型の円盤様、ビーズ様形状ＰＫである。ＰＫは、形状Ｋ（−）の平坦タイプである。ＰＫとＫ（４）は互いに統合して、むしろ１個の球形のビーズ様形状と似るようにしてもよい。１つの穴の代わりに、Ｋ（−）は、Ｖが中に導かれる２個の穴を含んでもよい。必要であれば、これらの穴は別々の直径を持ち、小さいほうの穴は、他方よりも、Ｖに対してより大きな摩擦を持つようにしてもよい。
【００１１】
Ｋ（−）は、尖ったネジであってもよく、そのヘッドは、鋲の下部のヘッドと同じぐらい平坦である。ヘッドには小さなチューブが接続する。尖ったネジは、押されることによって弾性リボンとＶを貫通することが可能である。小型で球形の、ビーズ様形状は、ネジの上で回すことによって捻りながらネジ全体を通過することが可能である。設計１では、これを用いて、部品Ａの弾性リボンをそれ自身と、且つ、部品Ｂの靴紐材料に接続することが可能である。
【００１２】
あらゆる種類の形状又は構造体を、装飾又は刺激用として、Ｋ（−）に、又は、亀頭露出器の、他の、任意の部品に付着させることが可能である。
【００１３】
亀頭露出器の部品Ｃは、小型の弓形に曲げられた、丈夫なプラスチックから成る小さな四角形である。この小型の弓の両端を外方に曲げ、且つ、両端は小さなスリットを含むようにしてもよい。スリットの中にはＶ又は弾性リボンが導かれる。ＣはＶ又は弾性リボンの圧力を受け止めることができるので、射精の際精子が外に移動するためのチューブを省略することが可能になる。
【００１４】
亀頭露出器の部品Ｒは、小さな、巻かれた四角形から成る。これは、１本の、小さな、薄い、飲用ストローであって、一端から他端に至る切れ込みを含むストローのような外見を持つ。Ｒは、靴紐材料の両端の周囲に設置し、両端が解けて広がるのを防ぐためにそれらに糊付けされる。Ｒは、必要であれば、靴紐材料に対してさらに大きな摩擦力を持つように、その内側に粗面又は凹凸構造を持つ縮んだ靴下／プラスチックであってもよい。加熱されると、縮んだ靴下／プラスチック片は短縮して靴紐材料をしっかりと包み込む。
【００１５】
上述の設計の内の１つ、又はいくつかを造るのに必要な、亀頭露出器の前述の部品を組み合わせることによって、自作キットを製造することが可能である。内容としては、針、及び、若干の、丈夫な（魚釣り用）糸、鋲、小型の千枚通し又は（金属製）刺抜き針であって、鋲の下部の一部である小チューブの穴に適合するもの、糊、及び、いくつかのバッグ及び箱であって、自作亀頭露出器をしまっておくことのできるバッグ及び箱が支給されてもよい。丈夫な（魚釣り用）糸は、Ｋ（−）が１つの部分から作られる場合には、靴紐材料を、弾性リボンを通して、又はＫ（−）の穴を通じて引っ張るのに使用することが可能である。
【００１６】
下記に、私は、現在の技術状態に比べて、なぜ私の発明が優れるのか、その理由について私の印象を手短に述べるつもりである。
【００１７】
なぜなら、設計１の部品Ａは、弾性リボンで造られており、生体部分を損傷する危険性を大きくする留め具をまったく含まない。
【００１８】
なぜなら、設計１及び２は、包皮を勃起陰茎の根部に保持するが、血液循環を大きく妨げることなく、また、勃起陰茎が別の形を取るように無理強いすることなく保持し、且つ、保持は大きなスペースを必要としない。
【００１９】
なぜなら、ＢはＡを陰嚢に接続しないし、また、Ａを、背中で何かのベルトに接続することもしない。
【００２０】
なぜなら、Ｂは、陰嚢根部にそって肛門の方向に導かれ、肛門の周囲において、分岐が可能となるように合わせられ、躯幹を回って腹の前面に達し、そこで互いに接続される。これによって、ユーザーは、最高の運動自由度を持つ亀頭露出器を確実に保有することができ、さらに、ＢがＡを引っ張る力に見られる巨大なバラツキが阻止される。
【００２１】
なぜなら、設計２の留め具は、常にしっかりと間違いなく閉鎖することが可能であり、一方、生体部分を損傷する危険性は最小である。なぜなら、留め具の形は最小に戻され、毎回簡単にサイズを同じにすることが可能であり、且つ、サイズは安定しているからである。
【００２２】
なぜなら、設計３のサイズは簡単に調整が可能であるが、それでいてきわめて安定である。必要であれば、サイズはまた、使用時に簡単に拡大することが可能であり、その形は、生体部分を損傷する危険性を下げる。
【００２３】
なぜなら、上記３種の設計は、他の汚れた洗濯物と一緒に簡単に洗濯することが可能であり、また、不用時にはきわめて僅かなスペースしか取らない。
【００２４】
なぜなら、ボタン穴付き弾性リボンは、複数のきわめて小さく、丈夫な分離帯を持っているので、該リボンは耐久性があるが、通常の、ボタン穴付き弾性リボンが耐えるであろうと思われる激しい磨耗には耐えることをしない。さらに、部品Ｂは、分離帯の周囲に巻きつけることによって分離帯に接続することが可能であり、且つ、Ａを調節するのに必要な最小の長さは、Ｋ（−）がボタン穴をくぐり抜けることができるために必要なだけの僅かなスペースに限定される。
【００２５】
なぜなら、ボール紙片の周囲に巻かれた１５メートルという大量の靴紐材料によって、消費者には、必要な長さを、部分的にではなくその全体を自分で調整する機会が得られ、且つ、そのような調整を数回に渡って実行することができる。一方、単一の消費者によって購入される靴紐材料の全長は、彼／彼女にとって受容可能な範囲にある。なぜなら、この方が、既製品の靴紐を使うよりも簡単で安価だからである。既製品の場合、大抵は、さらに短縮したり、場合によっては長くしなければならないことがある。
【００２６】
Ｋ（−）の私の全バージョンは、下記の理由の内の１つ又はそれ以上に基づく改良点である：
ＶをＫ（−）の中を導く、又は、Ｋ（−）をＶの周囲に設置して、Ｋ（−）をＶに対してしっかりと取り付ける行動を取る際、手がかりＫ（−）は、そのサイズとして最大限の支えを人に提供する。また、ネジ又はボルト（又は留め具又はヒンジ）のヘッドが平坦であれば、ドライバーを所定の場所に保持するのをやり易くし、且つ、作業や、Ｖへの緊縛が、可能な限り容易で安全なものとなる。Ｖに接触する部品Ｋ（−）の内面は比較的大きく、これは、Ｋ（−）により大きな摩擦を与え、さらに、内部に粗面又は凹凸構造を含む場合Ｋ（−）はさらに好適なものとなる。Ｋ（−）は、糊を挿入するためのもう１つの穴を持ってもよい。Ｋ（−）は、Ｖに大きな圧でしっかり取り付けられるので、同じ圧を提供することができない、バネ、又はバネ様効果に基づく機構を不要とする。Ｋ（−）は、ヒンジで接続されて１つとなる２つの側面を持ってもよい。留め金があれば、２つの面とヒンジの開閉をさらにずっと簡単にすることが可能である。留め金は、皿穴が作られ、例えば、フォークの歯で簡単に開放することが可能であり、そのための余地を提供してもよい。
【００２７】
小型の弓である部品Ｃは、本亀頭露出器の上記設計のためには存在しない。
【００２８】
Ｖの末端が解けて広がるのを防止するためのチューブ状部品Ｒは改良点である。なぜなら、プラスチックで造られ、簡単にＶの周囲に設置し、消費者自身の手で簡単に糊付けすることが可能だからである。
【００２９】
本亀頭露出器を作製するための自作用キットは存在しないが、そのようなキットは改良点である。なぜなら、消費者自身が、簡単に、自分で、好みのサイズとやり方で本亀頭露出器を作製することが可能であり、使い古した部品を交換することが可能であり、且つ、直ぐに使える既製品を買うよりも安価だからである。
【００３０】
本亀頭露出器の設計及び部品は全て、正常に使用した場合、健康に対して害を及ぼすことがなく、不快な味を持たず、且つ、口や歯で触れても不快でない材料によって製造されなければならない。
2007531574.tif 000002
2007531574.tif 000003
【国際調査報告】
2007531574.tif 000004
2007531574.tif 000005
2007531574.tif 000006
2007531574.tif 000007